(57)【特許請求の範囲】
【請求項１】
Bacillus thuringiensis が産生する殺虫タンパク質（以下「Cry毒素」という）を固定化したポリヘドリンタンパク質多角体（以下「Cry多角体」という）を含有し、水に浮かべて使用する害虫の防除シートにおいて、
シート形状の第一シート基材の下面に、
純粋マトリクス層を積層し、
前記純粋マトリクス層の下面にCry多角体を含む毒素含有マトリクス層を積層した防除シートであって、
前記防除シートは水面に浮かぶものであり、
前記純粋マトリクス層は易分解性又は水溶性の第二素材からなり、
前記毒素含有マトリクス層は易分解性又は水溶性の第三素材とCry多角体からなり、
前記防除シートを浮かべた水中に前記毒素含有マトリクス層からCry多角体が徐放されることを特徴とする防除シート。
【請求項２】
第二素材は、第三素材と同一の成分からなることを特徴とする請求項１に記載した防除シート。
【請求項３】
第三素材は、コラーゲン、ゼラチン、キチン、キトサン、グリコサミノグリカン、ヒアルロン酸、コンドロイチン硫酸、エラスチン、フィブロネクチン、ラミニン、フィブリン、アルギン酸、フィブロイン、デンプン、ペクチン、ペクチン酸、アガロース、ヘパリン、グリコサミノグリカン、カルボキシメチル化セルロース、セロウロン酸、ポリビニルアルコール、ポリエチレングリコール、ポリメタクリル酸メチル、メタクリル酸エステル系ポリマー、シリコーン樹脂、ポリ乳酸、ポリグリコール酸、ポリε−カプロラクトン、ウシ血清アルブミン、カゼイン、スクロースおよびこれらの混合物、重合体、共重合体、架橋物からなる群より選択される１又は２以上の成分よりなることを特徴とする請求項１または請求項２に記載した防除シート。
【請求項４】
第一シート基材は易分解性の第一素材からなり、前記毒素含有マトリクス層の分解又は水溶解は第一シート基材の分解又は水溶解よりも短時間で進行し、かつ、純粋マトリクス層の分解又は水溶解は第一シート基材の分解又は水溶解よりも短時間で進行することを特徴とする請求項１から３いずれかに記載した防除シート。
【請求項５】
第一シート基材は不織布またはメッシュシートのいずれかであることを特徴とする請求項１から４いずれかに記載した防除シート。
【請求項６】
第一シート基材は、気泡を含んだシート基材であることを特徴とする請求項１から５いずれかに記載した防除シート。
【請求項７】
シート形状であって気泡を含んだ第二シート基材を第一シート基材の上面に積層したことを特徴とする請求項１から４いずれかに記載した防除シート。
【請求項８】
前記毒素含有マトリクス層が気泡を含んだ毒素含有マトリクス層であることを特徴とする請求項１から４いずれかに記載した防除シート。
【請求項９】
第一基材シートを二重にして間に空気室を設けたことを特徴とする請求項１から４いずれかに記載した防除シート。
【請求項１０】
第一シート基材の下面にパターン形状で疎水部分を形成し、第一シート基材の下面であって前記疎水部分が形成されない部分に前記純粋マトリクス層と前記毒素含有マトリクス層を積層した請求項１から４いずれかに記載した防除シート。
【請求項１１】
第一シート基材の上面に疎水部分を形成したことを特徴とする請求項１から４いずれかに記載した防除シート。
【請求項１２】
第一シート基材の下面に意匠を形成したことを特徴とする請求項１から１１いずれかに記載した防除シート。
【請求項１３】
水に浮上する物体の下面に、Cry多角体を含む毒素含有マトリクス層を積層した、害虫の防除物において、
水に浮上する物体の下面である水に接する面に、純粋マトリクス層を積層し、
前記純粋マトリクス層の下面にCry多角体を含む毒素含有マトリクス層を積層した防除物であって、
前記純粋マトリクス層は易分解性又は水溶性の第二素材からなり、
前記毒素含有マトリクス層は易分解性又は水溶性の第三素材とCry多角体からなり、
前記防除物を浮かべた水中に前記毒素含有マトリクス層からCry多角体が徐放されることを特徴とする防除物。
【請求項１４】
害虫の防除シートまたは防除物を製作するために使用する転写シートにおいて、
転写シート基材の一の表面に、Cry多角体を含む毒素含有マトリクス層、純粋マトリクス層と接着層を順に積層したものであって、
前記毒素含有マトリクス層は易分解性又は水溶性の第三素材とCry多角体からなり、
前記純粋マトリクス層は易分解性又は水溶性の第二素材からなる転写シート。
【発明の詳細な説明】
【技術分野】
【０００１】
本発明は水に浮かべて使用する害虫の防除シートに関するものである。
【背景技術】
【０００２】
Bacillus thuringiensis が産生する殺虫タンパク質（以下「Cry毒素」という）はある種の昆虫に対して殺虫活性を示す。Bacillus thuringiensis serovar israelensisが産生するCry毒素はカの幼虫に対する毒性を持つことが知られている。【０００３】
発明者らはカイコサイポウルス（Bombyxmori cypovirus, BmCPV）が作るタンパク質微結晶であるポリヘドリンタンパク質多角体に、Cry毒素を固定化した。当該Cry毒素を固定化した多角体を、以下「Cry多角体」という。すなわち、Cry毒素のＮ末に、ポリヘドリンタンパク質多角体にCry毒素を固定化するためのタグを付加した。次に、当該タグ付加Cry毒素をポリヘドリンタンパク質多角体に固定化した。【０００４】
発明者らは、
(1)  Cry多角体にカの幼虫の殺虫活性があり、
(2)  Cry多角体を摂食したカの幼虫が死亡すること、
を、報告した（非特許文献１参照）。【０００５】
しかし、カの幼虫が生息する自然環境中で、カの幼虫にCry多角体を容易に摂食させるための方途は未だ見出されていなかった。
【先行技術文献】
【非特許文献】
【０００６】
【非特許文献１】日本蚕糸学会合同大会  昆虫機能・利用学術講演会  日蚕関西講演集（２０１２）  Ａ６ Bacillus thuringiensis δ内毒素の多角体への固定化とその応用原田佳寛、小谷英治、浅野眞一郎、森肇 ２０１２年１１月１０日
【発明の概要】
【発明が解決しようとする課題】
【０００７】
解決しようとする問題点は、害虫にCry多角体を容易に摂食させるための方途を見出し、Cry多角体を有効成分とする害虫の防除シートと防除物を作り出すことである。【０００８】
本発明のその他の課題は、本発明の説明により明らかになる。
【課題を解決するための手段】
【０００９】
以下に課題を解決するための手段を述べる。理解を容易にするために、本発明の実施態様に対応する符号を付けて説明するが、本発明は当該実施態様に限定されるものではない。また、符号である数字は部品などを集合的に示す場合があり、後に説明する実施例において個別の部品などを示す場合に、当該数字のあとにアルファベットの添字を付けているものがある。【００１０】
本発明の一の態様にかかる防除シートは、
Bacillus thuringiensis が産生する殺虫タンパク質（以下「Cry毒素」という）を固定化したポリヘドリンタンパク質多角体（以下「Cry多角体」という）を含有し、水に浮かべて使用する害虫の防除シートにおいて、
シート形状の第一シート基材(10)の下面に、
純粋マトリクス層(20)を積層し、
前記純粋マトリクス層の下面にCry多角体(51)を含む毒素含有マトリクス層(30)を積層した防除シートであって、
前記防除シートは水面に浮かぶものであり、
前記純粋マトリクス層は易分解性又は水溶性の第二素材からなり、
前記毒素含有マトリクス層は易分解性又は水溶性の第三素材とCry多角体からなり、
前記防除シートを浮かべた水中に、前記毒素含有マトリクス層からCry多角体が徐放されることを特徴とする。【００１１】
害虫とはCry毒素で死ぬ虫であって、例えばハエ目、コウチュウ目、チョウ目の昆虫が挙げられる。【００１２】
害虫に含まれるカの幼虫（日本ではボウフラ、ボウフリとも呼ばれる）は、水の表面と表面下数ｃｍの間を浮遊している。ボウフラは定期的に水面に浮上して空気呼吸をしつつ、水中で摂食活動を行う。一方、Cry多角体の比重は１．２７である。【００１３】
Cry多角体を用いるカの幼虫駆除薬剤として、Cry多角体懸濁液が思い浮かぶ。しかし、懸濁液の形状でCry多角体を水中に投じるならば、Cry多角体は即座に沈降する。このため、Cry多角体はカの幼虫の生息場所である水表面下数ｃｍの間に留まることができず、カの幼虫にとって摂食機会が無い。したがって、Cry多角体懸濁液はCry多角体が持つカの幼虫の殺虫活性を発揮できない。【００１４】
本発明にかかる防除シートは、その他の構成に加えて、
(1) 水面に浮かび、
(2) 毒素含有マトリクス層は易分解性又は水溶性の第三素材とCry多角体からなる、
構成である。このため、前記防除シートを浮かべた水中に、毒素含有マトリクス層からCry多角体が徐放される。よって、Cry多角体がカの幼虫の生息圏、すなわち、摂食位置に定常的に供給される。こうして、カの幼虫がCry多角体を摂食し、Cry多角体の殺虫活性が発揮される。【００１５】
本発明の好ましい実施態様にかかる防除シートは、第二素材が第三素材と同一の成分からなるものであってもよく、また、第三素材が特定の成分よりなるものであってもよい。【００１６】
これらの特定成分は、人体への健康のリスクが低い物質であり、飲料水など生活用水の貯水槽内で防除シートを使用する場合に好適な防除シートとなる。【００１７】
本発明の好ましい実施態様にかかる他の防除シートにおいて、
第一シート基材は易分解性の第一素材からなり、前記毒素含有マトリクス層の分解又は水溶解は第一シート基材の分解又は水溶解よりも短時間で進行し、かつ、純粋マトリクス層の分解又は水溶解は第一シート基材の分解又は水溶解よりも短時間で進行するものであってもよい。【００１８】
本好ましい実施態様は、防除シートの構成部分全てが分解又は水溶解するものであり、かつ、毒素含有マトリクス層がCry多角体を放出する期間中はシート基材がその形状を保持するから、防除シートが分解性であってもCry多角体は徐放される。【００１９】
本好ましい実施態様にかかる防除シートは、使用後に残余物が残らない利点を有する。【００２０】
本発明の他の好ましい実施態様にかかる防除シートにおいて、第一シート基材が不織布またはメッシュシートのいずれかであってもよい。第一シート基材が不織布またはメッシュシートであれば、第一シート基材単位面積当たりのCry多角体保持量が増大する利点がある。また、不織布とメッシュシートは多孔構造であるから、第一シート基材に気泡を含ませて浮遊体とすることが容易に行える利点がある。【００２１】
第一シート基材は平板であってもよい。平板には、板、薄板、シートとフィルムを含む。また、平板の片面及び／または両面は平滑であってもよく、全面または部分的に凹凸であってもよい。【００２２】
本発明の好ましい他の実施態様にかかる防除シートは、水に浮く性質が防除シートを構成する部材に含まれる気泡又は空気室に由来するものであってもよい。【００２３】
すなわち、前記防除シートにあって、第一シート基材は気泡を含んだシート基材であってもよく、シート形状であって気泡を含んだ第二シート基材を第一シート基材の上面に積層したものであってもよく、また、前記毒素含有マトリクス層が気泡を含んだ毒素含有マトリクス層であってもよく、さらには、第一基材シートを二重にして間に空気室を設けたものであってもよい。【００２４】
本発明の他の好ましい実施態様にかかる防除シートは、水に浮く性質が防除シートの表面に設けた疎水領域に由来するものであってもよい。【００２５】
すなわち、前記防除シートにあって、第一シート基材の下面にパターン形状で疎水部分を形成し、第一シート基材の下面であって前記疎水部分が形成されない部分に前記純粋マトリクス層と前記毒素含有マトリクス層を積層したものでもよく、また、第一シート基材の上面に疎水部分を形成したものであってもよい。【００２６】
本発明の好ましい実施態様にかかるその他の防除シートは、第一シート基材の下面に意匠を形成したものであってもよい。【００２７】
意匠は印刷、描画などで形成する。意匠は、例えば文字、図形などである。意匠は、例えば、防除シートに取り換え時期が来たことを示す意匠や、衛生に関する注意喚起意匠を例示できる。【００２８】
例えば、上記した第一シート基材の下面にパターン形状で形成する疎水部分が、文字や図形などの意匠であってもよい。また、当該疎水部分が文字や図形の一部であってもよい。さらに、第一シート基材の下面に意匠が形成されて、当該意匠は純粋マトリクス層と毒素含有マトリクス層に覆われていて、防除シートの使用前は当該意匠が見えず、防除シートを一定期間使用した後に純粋マトリクス層と毒素含有マトリクス層が分解などで消失して、当該意匠が顕在するものであってもよい。【００２９】
一定期間使用の後に意匠が顕在する方策として、第三素材と第二素材を着色してもよい。飲料水など生活用水の貯水槽内で防除シートを使用する場合に、着色は食用色素を用いて行うことが好ましい。【００３０】
本発明の他の態様にかかる防除物は、
水に浮上する物体の下面に、Cry多角体を含む毒素含有マトリクス層を積層した害虫の防除物であって、
水に浮上する物体の下面である水に接する面に、
純粋マトリクス層を積層し、
前記純粋マトリクス層の下面にCry多角体を含む毒素含有マトリクス層を積層した防除用物体であって、
前記純粋マトリクス層は易分解性又は水溶性の第二素材からなり、
前記毒素含有マトリクス層は易分解性又は水溶性の第三素材とCry多角体からなり、
前記防除物を浮かべた水中に、前記毒素含有マトリクス層からCry多角体が徐放されることを特徴とする。【００３１】
本発明のその他の態様にかかる転写シートは、
害虫の防除シートまたは防除物を製作するために使用する転写シートにおいて、
転写シート基材の一の表面に、Cry多角体を含む毒素含有マトリクス層、純粋マトリクス層と接着層を順に積層したものであって、
前記毒素含有マトリクス層は易分解性又は水溶性の第三素材とCry多角体からなり、
前記純粋マトリクス層は易分解性又は水溶性の第二素材からなる。【００３２】
以上説明した本発明、本発明の好ましい実施態様、これらに含まれる構成要素は可能な限り組み合わせて実施することができる。
【発明の効果】
【００３３】
本発明の一の態様にかかる防除シートは、その他の構成とともに、前記毒素含有マトリクス層は易分解性又は水溶性の第三素材とCry多角体からなり、また、第一シート基材と毒素含有マトリクス層の間に純粋マトリクス層を有する。【００３４】
このため、毒素含有マトリクス層の分解又は水溶解にともないCry多角体が徐々に水中に放出される。さらに、純粋マトリクス層の存在により、Cry多角体と第一シート基材が接触しないので、Cry多角体の放出が円滑に行われる。【００３５】
本発明の他の態様にかかる防除物は、その他の構成とともに、前記毒素含有マトリクス層は易分解性又は水溶性の第三素材とCry多角体からなり、また、物体の下面と毒素含有マトリクス層の間に純粋マトリクス層を有する。【００３６】
このため、毒素含有マトリクス層の分解又は水溶解にともないCry多角体が徐々に水中に放出される。さらに、純粋マトリクス層の存在により、Cry多角体と物体の下面が接触しないので、Cry多角体の放出が円滑に行われる。【００３７】
本発明のその他の態様にかかる転写シートは、その他の構成とともに、転写シート基材の一の表面に、Cry多角体を含む毒素含有マトリクス層、純粋マトリクス層と接着層を順に積層している。このため、第一シート基材または物体の形状や物性にかかわらず、本転写シートを使用して転写シート基材上の積層物を転写することにより、層の厚さや層の均質性などの積層状態が好ましく制御された防除シートまたは防除物を製作できる利点がある。
【図面の簡単な説明】
【００３８】
【図１】図１は第一防除シート１ａの断面説明図である。
【図２】図２は第二防除シート１ｂの断面説明図である。
【図３】図３は第三防除シート１ｃの断面説明図である。
【図４】図４は第四防除シート１ｄの断面説明図である。
【図５】図５は第五防除シート１ｅの断面説明図である。
【図６】図６は第六防除シート１ｆの断面説明図である。
【図７】図７は第七防除シート１ｇの断面説明図である。
【図８】図８は防除物の断面説明図である。
【図９】図９は防除物を製作するための転写シートの断面説明図である。
【図１０】図１０は第八防除シート１ｈの断面説明図である。
【図１１】図１１は第九防除シート１ｉの断面説明図である。
【発明を実施するための形態】
【００３９】
以下、図面を参照して本発明の実施例にかかる防除シート、防除物と転写シートをさらに説明する。本明細書において参照する各図は、本発明の理解を容易にするため、一部の構成要素を誇張して表すなど模式的に表しているものがある。このため、構成要素間の寸法や比率などは実物と異なっている場合がある。
【００４０】
また、積層状態を図示する断面図にあって、層と層の間の空白は、積層状態を分かり易く説明するために図面に設けたものである。実際の防除シートと防除物にあっては層と層が接している。
【００４１】
さらに、本発明の実施例に記載した部材や部分の寸法、材質、形状、その相対位置などは、とくに特定的な記載のない限りは、この発明の範囲をそれらのみに限定する趣旨のものではなく、単なる説明例にすぎない。
【００４２】
図１は第一防除シート１ａの断面説明図である。
【００４３】
第一防除シート１ａは、第一シート基材１０の下面に、純粋マトリクス層２０を積層し、純粋マトリクス層２０の下面に毒素含有マトリクス層３０を積層している。
【００４４】
本発明と本明細書において、上面と下面は説明の都合上定めたものである。上面と下面は防除シートを水に浮かべた場合に、水に接するあるいは水没する面を下面とし、大気側に位置する面を上面と呼ぶ。以下に説明する第二から第九防除シートと防除物についても同じである。
【００４５】
第一シート基材１０は純粋マトリクス層２０と毒素含有マトリクス層３０の支持部材である。第一シート基材１０は第一素材からなる。第一素材は、易分解性、水溶性、難分解性または難水溶性のいずれであってもよい。第一素材は自然環境保護の観点から易分解性又は水溶性であることが好ましい。また、第一素材は人体への健康のリスクが低い物質であることが好ましい。防除シートを生活水貯水槽の害虫の防除に使用することもあるからである。
【００４６】
第一シート基材は二次元方向に延びるシート形状である。二次元方向に延びるシート形状とは、例えば、シート、フィルムや紙の形状である。第一シート基材の厚さに特に制限はないが、厚さが１６μｍ（マイクロメートル）以上３ｍｍ（ミリメートル）以下であることが好ましい。この厚さにすれば、第一シート基材に適度な強度が備わり、純粋マトリクス層２０と毒素含有マトリクス層３０などの積層加工が容易になるからである。また、第一シート基材をこの厚さにすれば、分解性素材を使用した場合に自然環境中での分解に必要とされる時間の設計が容易となる。
【００４７】
第一シート基材の平面大きさに特に制限はない。例えば、防除シートを設置する貯水槽の水面大きさに合わせて平面大きさを決定すればよい。
【００４８】
純粋マトリクス層２０は毒素含有マトリクス層３０と第一シート基材１０を離隔する部材である。毒素含有マトリクス層に含まれるCry多角体が第一シート基材と接触するならば、Cry多角体と第一シート基材の固着が生じ得る。このため、第一防除シートからCry多角体の放出が困難になる。
【００４９】
上述した困難を防止するために、防除シートは純粋マトリクス層２０を設け、毒素含有マトリクス層３０と第一シート基材１０を離隔して、Cry多角体の放出を図っている。
【００５０】
純粋マトリクス層２０は易分解性又は水溶性の第二素材からなる。第二素材は人体への健康のリスクが低い物質であることが好ましい。防除シートを生活水貯水槽の害虫の防除に使用することも想定されるからである。純粋マトリクス層の厚さは、特に制限は無く任意の値にすることができ、好ましくは５ｎｍ（ナノメートル）以上５０μｍ（マイクロメートル）以下である。この厚さ範囲にあると、毒素含有マトリクス層３０と第一シート基材１０の離隔が達成されるからである。
【００５１】
純粋マトリクス層２０は、塗工、印刷や浸漬（dipping）により形成すればよい。
【００５２】
なお、純粋マトリクス層２０という呼名中の「純粋」とは、毒素を含まないという意味を表すものである。同様の観点から毒素を含んだマトリクス層を毒素含有マトリクス層３０と名前付けている。例えば、純粋マトリクス層２０の素材は「夾雑物を極限まで取り除いた純粋な材料である」といった意味を包含することは無い。
【００５３】
毒素含有マトリクス層３０は易分解性又は水溶性の第三素材とCry多角体からなる層である。毒素含有マトリクス層３０は、第三素材の分解又は水溶解に伴い、Cry多角体を放出する部材である。
【００５４】
毒素含有マトリクス層３０は易分解性又は水溶性の第三素材からなる。第三素材は人体への健康のリスクが低い物質であることが好ましい。防除シートを生活水貯水槽の害虫の防除に使用することも想定されるからである。毒素含有マトリクス層３０の厚さは、特に制限は無く任意の値にすることができ、好ましくは５ｎｍ（ナノメートル）以上１ｍｍ（ミリメートル）以下である。この厚さ範囲にすれば、Cry多角体の放出が達成される。厚さの下限値である５ｎｍ（ナノメートル）は、第三素材のみが存在する部分（Cry多角体が位置付けられていない部分）における毒素含有マトリクス層の厚さである。
【００５５】
Cry多角体は、カイコサイポウルス（Bombyxmori cypovirus, BmCPV）が作るタンパク質微結晶であるポリヘドリンタンパク質多角体に、Cry毒素を固定化した物質である。すなわち、Cry毒素のＮ末に、ポリヘドリンタンパク質多角体にCry毒素を固定化するためのタグを付加した。次に、当該タグ付加Cry毒素をポリヘドリンタンパク質多角体に固定化した。この場合、ポリヘドリンタンパク質のＮ末にあるαヘリックスＨ１（文献Ｃ−１参照）をCry毒素のＮ末に付加することでCry毒素を多角体に固定化できる。多角体はｐＨ１０以上で溶解するが、カの幼虫の消化管の中は多角体が溶解するアルカリ条件であるため（文献Ｃ−２参照）、多角体はCry毒素のキャリアとして適している。Cry多角体の大きさをその外接球で示すと、外接球の直径が３μｍ（マイクロメートル）〜１５μｍ（マイクロメートル）である。
【００５６】
Cry多角体に固定化して毒素含有マトリクス層に含有させるCry毒素は、通常Bacillus thuringiensisに含まれる細菌とその変種や亜種が産生する殺虫タンパク質である。より好ましいCry毒素は、Bacillus thuringiensis serovar israelensis が産生するCry毒素であるCry11Aa, Cry4Aa, Cry4Ba, Cry10Aa である。よりいっそう好ましいCry毒素はBacillus thuringiensis serovar israelensis が産生するCry毒素であるCry11Aa である。
【００５７】
Cry11Aa はデング熱ウイルスを始めとするアルボウイルスを媒介するヤブカ属、フィラリアを媒介するイエカ属、そしてマラリア原虫を媒介するハマダラカ属のカの幼虫に対して特に強い毒性を示す(文献Ｃ−３参照)。
【００５８】
＜参照文献＞
＜文献Ｃ−１＞ Hiroshi Ijiri, Fasseli Coulibaly, Gento Nishimura et al., Structure-based targeting of bioactive proteins into cypovirus polyhedra and application to immobilized cytokines for mammalian cell culture, Biomaterials 30 (2009) 4297-4308
＜文献Ｃ−２＞ Despres Laurence, Lagneau Christophe & Frutos Roger, Using the Bio-Insecticide Bacillus thuringiensis israelensis in Mosquito Control, Pesticides
in the Modern World - Pests Control and Pesticides Exposure and Toxicity Assesment, Edited by Dr. Magarita Stoytcheva, Publisher In tech, September, 2011
＜文献Ｃ−３＞ Jesko Oestergaad, Ralf-Udo Ehlers, Amparo C. Martinerz-Ramirez etal., Binding of Cyt1Aa and Cry11Aa Toxins of Bacillus thuringiensis Serovar israelensis to Brush Border Membrane Vesicles of Tipula paludosa (Diptera:Nematocera) and Subsequent Pore Formation, Applied and Environmental Microbiology, Vol. 73, No. 11, (June 2007) 3623-3629
【００５９】
毒素含有マトリクス層３０は、第三素材とCry多角体を混合し、当該混合物を塗工や印刷して形成すればよい。
【００６０】
第一防除シート１ａは水面に浮かぶ。こうして、水面下数ｃｍのカの幼虫の生息領域にCry多角体を徐放し、カの幼虫によるCry多角体の摂食を図るものである。
【００６１】
第一防除シート１ａは水面に設置すれば、毒素含有マトリクス層３０から防除シート１ａを浮かべた水中にCry多角体が徐放される。
【００６２】
第一素材は第一シート基材１０の材料である。第一素材の中で、易分解性又は水溶性の材料を例示すると、ポリ乳酸、キチン、キトサン、ポリヒドロキシアルカノエート、ポリブチレンサクシネート、セルロース、タンパク質との混合材料を含む澱粉系、天然繊維（コットン、羊毛、麻、パルプ、絹、ケナフ、バナナ、竹など）およびこれらの混合物を挙げることができる。これら例示した材料は人体への健康のリスクが低い物質である。
【００６３】
第一素材の中で、難分解性の材料を例示すると、ポリプロピレン系樹脂、ポリエチレン系樹脂、ポリアミド系樹脂、ポリエステル系樹脂、アクリル系樹脂、ポリ塩化ビニル系樹脂、ポリカーボネート系樹脂、ポリウレタン系樹脂、ポリスチレン系樹脂、アセテート系樹脂、ポリアミド系樹脂などの樹脂シート、グラシン紙、コート紙、セロハンなどのセルロース系、およびこれらが複合された物質を挙げることができる。
【００６４】
第三素材は毒素含有マトリクス層３０のマトリクス材料である。第三素材を例示すると、コラーゲン、ゼラチン、キチン、キトサン、グリコサミノグリカン、ヒアルロン酸、コンドロイチン硫酸、エラスチン、フィブロネクチン、ラミニン、フィブリン、アルギン酸、フィブロイン、デンプン、ペクチン、ペクチン酸、アガロース、ヘパリン、グリコサミノグリカン、カルボキシメチル化セルロース、セロウロン酸、ポリビニルアルコール、ポリエチレングリコール、ポリメタクリル酸メチル、メタクリル酸エステル系ポリマー、シリコーン樹脂、ポリ乳酸、ポリグリコール酸、ポリε−カプロラクトン、ウシ血清アルブミン、カゼイン、スクロースおよびこれらの混合物、重合体、共重合体、架橋物である。これら例示した材料は人体への健康のリスクが低い物質である。
【００６５】
第二素材は純粋マトリクス層２０の材料である。第二素材の例示は、上述した第三素材の例示と同一である。
【００６６】
第一防除シート１ａにあって、第二素材は第三素材と同一の成分からなることが好ましい。第一防除シート１ａの設計にあって、毒素含有マトリクス層３０と純粋マトリクス層２０のそれぞれの分解時間の設計が容易となるからである。また第一防除シート１ａの生産にあって、材料の種類が減少し、生産工程が単純化、生産管理が容易化するなどの理由からである。
【００６７】
第一防除シート１ａにあって、シート基材１０は易分解性の第一素材からなり、第三素材の分解又は水溶解は第一素材の分解又は水溶解よりも短時間で進行することが好ましく、かつ、第二素材の分解又は水溶解は第一素材の分解又は水溶解よりも短時間で進行することが好ましい。この条件を満たせば、毒素含有マトリクス層３０に含まれるCry多角体の全量が、徐放されるなどの理由による。
【００６８】
毒素含有マトリクス層３０の分解又は水溶解の時間は、通常１５日から９０日であり、好ましくは１５日から６０日であり、より好ましくは２５日から４５日である。
【００６９】
純粋マトリクス層２０の分解又は水溶解の時間は、毒素含有マトリクス層の分解又は水溶解の時間に比較して、通常、マイナス５日からプラス１０日、好ましくはマイナス３日からプラス１０日、より好ましくはプラスマイナス１日である。もっとも、分解又は水溶解の時間は通常日（２４時間）の単位で定めることはできない。なぜなら、分解などの進行は、水温、水質など変動の大きい要因に影響されるので、分解の期間を月単位程度で大まかに定めざるを得ないからである。このため、第二素材と第三素材に同一材料を使用して素材の分解時間を一致させ、層の厚さや層中の素材の濃度を調整して、２つの層の分解などの期間を設計することがより好ましい。
【００７０】
易分解性又は水溶解性の第一基材シートの場合、分解又は水溶解の時間は、通常１８０日であり、より好ましくは、毒素含有マトリクス層の分解又は水溶解の時間に比較して、プラス３０日からプラス６０日である。
【００７１】
第一シート基材は不織布またはメッシュシートであってもよい。
【００７２】
図１０に模式的に図示した第八防除シート１ｈは不織布の第一シート基材１０を使用している。不織布の表面には、Cry多角体５１と比較して、大きな凹凸が多くある。このため、不織布の第一シート基材を使用した防除シートは、平板形状の第一シート基材を使用した防除シートと比較して、第一シート基材単位面積当たりのCry多角体保持量が増大する利点がある。また、不織布は多孔構造であるから、第一シート基材に気泡を含ませて浮遊体とすることが容易に行える利点がある。
【００７３】
図１０に図示した第八防除シート１ｈにあっては、第一シート基材１０と純粋マトリクス層２０の間及び純粋マトリクス層２０と毒素含有マトリクス層３０の間は空白を設けることなく、層と層が接触した状態を図示した。
【００７４】
不織布の第一シート基材１０を構成する第一素材は、特に制限なく前述した種々の第一素材を用いることができるが、天然繊維（コットン、羊毛、麻、パルプ、絹、ケナフ、バナナ、竹など）を用いることが好ましい。天然繊維は人体への健康のリスクが低いからである。
【００７５】
図１１に模式的に図示した第九防除シート１ｉはメッシュシートの第一シート基材１０を使用している。メッシュシートの表面には、Cry多角体５１と比較して、大きな凹凸が多くある。このため、メッシュシートの第一シート基材を使用した防除シートは、平板形状の第一シート基材を使用した防除シートと比較して、第一シート基材単位面積当たりのCry多角体保持量が増大する利点がある。また、メッシュシートは多孔構造であるから、第一シート基材に気泡を含ませて浮遊体とすることが容易に行える利点がある。
【００７６】
図１１に図示した第九防除シート１ｉにあっては、第一シート基材１０と純粋マトリクス層２０の間及び純粋マトリクス層２０と毒素含有マトリクス層３０の間は空白を設けることなく、層と層が接触した状態を図示した。
【００７７】
図２は第二防除シート１ｂの断面説明図である。第二防除シート１ｂは、第一防除シート１ａと比較すると、第一シート基材が気泡を含む点が異なる。その他の構成や各層の材料など残余の諸点は同一である。ここでは相違点である第一シート基材を説明する。
【００７８】
第二防除シート１ｂは気泡含有第一シート基材１０ａを有する。気泡含第一シート基材１０ａの内部には複数の気泡１６を有する。このため、気泡含有第一シート基材１０ａは比重が小さくなり、その結果、第二防除シート１ｂ全体の比重が小さくなり、第二防除シート１ｂが水に浮かぶ。
【００７９】
気泡含有第一シート基材１０ａは、例えば、以下に列挙する方法で製造することができる。
(1) 第一素材をシート形状に整形した後に加圧不活性ガス雰囲気中に保持してシート形状第一素材に不活性ガスを含有させ、さらに当該シート形状第一素材を常圧化で加熱して発泡させる。
(2) 第一素材をシート形状に成形する時に水分を含ませ、当該水分含有材料を加熱して発泡させる。
(3) 第一素材に発泡剤を加えて気泡含有素材を製造する。発泡剤としては公知の発泡剤、例えばプロパンなどの炭化水素類やジメチルエーテルなどのエーテル類を用いることができる。
【００８０】
図３は第三防除シート１ｃの断面説明図である。第三防除シート１ｃは、第一防除シート１ａと比較すると、第一シート基材１０の上に気泡含第二シート基材１１が積層されている点が異なる。その他の構成や各層の材料など残余の諸点は同一である。ここでは相違点である気泡含第二シート基材を説明する。
【００８１】
第三防除シート１ｃは、第一シート基材１０の上面に気泡含第二シート基材１１が積層されている。気泡含第二シート基材１１の内部には複数の気泡１６を有する。気泡含第二シート基材１１は比重が小さく、その結果、第三防除シート１ｃ全体の比重が小さくなり、第三防除シート１ｃが水に浮かぶ。
【００８２】
第三防除シート１ｃは、例えば、第一シート基材１０に純粋マトリクス層２０と毒素含有マトリクス層３０を形成した後に、第一シート基材１０の上面に気泡含第二シート基材１１を積層するか、又は張り合わせて製造する。
【００８３】
気泡含第二シート基材１１の材料、発泡方法、その分解または水溶解の時間は第一シート基材１０と同じである。気泡含第二シート基材１１の発泡方法は、気泡含有第一シート基材１０ａの発泡方法と同じである。
【００８４】
図４は第四防除シート１ｄの断面説明図である。第四防除シート１ｄは、第一防除シート１ａと比較すると、毒素含有マトリクス層が気泡を含む点が異なる。その他の構成や各層の材料など残余の諸点は同一である。ここでは相違点である気泡含毒素含有マトリクス層３０ａを説明する。
【００８５】
第四防除シート１ｄを構成する気泡含毒素含有マトリクス層３０ａは、内部に複数の気泡５６とCry多角体５１を有する。気泡含毒素含有マトリクス層３０ａは比重が小さく、その結果、第四防除シート１ｄ全体の比重が小さくなり、第四防除シート１ｄが水に浮かぶ。
【００８６】
気泡含毒素含有マトリクス層３０ａは、例えば、以下に列挙する方法で製造することができる。
(1) 第三素材とCry多角体の混合物に気泡を混練し、その後硬化させる。気泡の一例は空気の泡である。
(2) 第三素材とCry多角体の混合物に発泡剤を加えて気泡含有素材を製造する。発泡剤としては公知の発泡剤、例えばプロパンなどの炭化水素類やジメチルエーテルなどのエーテル類を用いることができる。
【００８７】
図５は第五防除シート１ｅの断面説明図である。
【００８８】
第五防除シート１ｅは、第一防除シート１ａと比較すると、第一シート基材が二重であってその間に空気室を設けた点が異なる。その他の構成や各層の材料など残余の諸点は同一である。ここでは相違点である二重の第一シート基材を説明する。
【００８９】
第五防除シート１ｅは、上面第一シート基材１０ｂと下面第一シート基材１０ｃが二重に重ねられ第一シート基材１０を形成している。上面第一シート基材１０ｂと下面第一シート基材１０ｃの間は部分的に離間して空気室１５を形成している。このため、上面第一シート基材１０ｂと下面第一シート基材１０ｃからなる第一シート基材１０は比重が小さく、その結果、第五防除シート１ｅ全体の比重が小さくなり、第五防除シート１ｅが水に浮かぶ。
【００９０】
図５にあっては、下面シート基材１０ｃ、純粋マトリクス層２０と毒素含有マトリクス層３０は層と層が接触した状態を図示した。
【００９１】
図６は第六防除シート１ｆの断面説明図である。
【００９２】
第六防除シート１ｆは、第一シート基材１０の下面に疎水部分１３をパターン形状で形成し、第一シート基材の下面であって疎水部分が形成されない部分に純粋マトリクス層２０と毒素含有マトリクス層３０を積層した防除シートである。疎水部分１３のパターンは、例えば、市松模様、格子状、散点状などを挙げることができる。疎水部分と純粋マトリクス層などの積層部分は相互に隣り合う位置関係にあると表現することもできる。
【００９３】
物質、特にシート形状物質は、その表面に疎水性質があると水に浮かぶ性質がある。第六防除シート１ｆは下面に部分的に疎水部分を形成していて、当該疎水部分が露出している。このため、第六防除シート１ｆは水に浮かぶ。
【００９４】
疎水部分は、疎水材料を塗布することにより形成してもよい。また、疎水部分は、第一シート基材１０の表面を撥水加工して形成してもよい。疎水材料としては、フッ素系の撥水擁油材または疎水性酸化物微粒子（例えば、文献Ｃ−４参照）を例示できる。撥水加工としてはエンボス加工を例示できる。
【００９５】
＜参照文献＞
＜文献Ｃ−４＞特許第４３４８４０１号
【００９６】
図７は第七防除シート１ｇの断面説明図である。
【００９７】
第七防除シート１ｇは、第六防除シート１ｆと同様に第一シート基材１０に疎水部分を形成したものである。第七防除シート１ｇは、第一シート基材の上面に疎水部分１３を形成している。その他の構成や各層の材料など残余の諸点は第一防除シート１ａと同一である。
【００９８】
図７を参照して、第七防除シート１ｇは第一シート基材１０の上面に疎水部分１３を形成している。疎水部分１３は第七防除シート１ｇの外部に露出している。このため、第７防除シート１ｇは水に浮かぶ。
【００９９】
疎水部分１３は、第一シート基材１０の上面の全面に形成してもよく、第一シート基材１０の上面に部分的に形成してもよい。加工の容易性から全面に形成することが好ましい。
【０１００】
第一防除シートから第九防除シートのいずれかにあって、第一シート基材の下面に意匠を形成してもよい。意匠は文字や図形などである。意匠は印刷や描画で形成してもよく、第一シート基材の表面にエンボス加工をすることにより、意匠を表現してもよい。意匠の例は、防除シートの取り換えについて注意を喚起するものや、第一シート基材の廃棄などの処分方法を知らせるもの、衛生に関する事項などである。
【０１０１】
防除シートの使用開始時には、第一シート基材の下面は純粋マトリクス層と毒素含有マトリクス層に覆われている。このため、意匠は見えない。そして、防除シートの使用終期に純粋マトリクス層と毒素含有マトリクス層が消失すると意匠が顕在化する。よって、使用者の興味を引き付ける意匠となる。
【０１０２】
飲料水など生活用水の貯水槽内で防除シートを使用する場合に、意匠の印刷や描画には、可食性のインキを使用することが好ましい。
【０１０３】
また、防除シートの使用開始時に意匠をより一層隠蔽しておくために、純粋マトリクス層及び／又は毒素含有マトリクス層に着色してもよい。飲料水など生活用水の貯水槽内で防除シートを使用する場合に、着色は食用色素を用いて行うことが好ましい。
【０１０４】
図８は防除物の断面説明図である。
【０１０５】
防除物６は、水に浮上する物体１１７の下面である水に接する面に、純粋マトリクス層１２０を積層し、前記純粋マトリクス層の下面にCry多角体を含む毒素含有マトリクス層
１３０を積層した防除物である。
【０１０６】
純粋マトリクス層１２０は易分解性又は水溶性の第二素材からなる。毒素含有マトリクス層１３０は易分解性又は水溶性の第三素材とCry多角体５１からなる。
【０１０７】
物体１１７は水に浮上するものであって、物体１１７に積層した毒素含有マトリクス層１３０からCry多角体５１を徐放できる形状であれば、その材質、形状に特に制限は無い
。物体１１７は例えば種々の形状の木片、船型や蓋型の合成樹脂や金属である。
【０１０８】
純粋マトリクス層を積層する面は、物体の下面である水に接する面である。
【０１０９】
物体１１７の表面と純粋マトリクス層１２０は、接着層６０により接着される。接着層６０の材質は、フィブリン糊、ゼラチン糊、シアノアクリレート系、ウレタンプレポリマー、ハイドロゲル、多糖類の架橋物、漆などの天然の粘着性付与樹脂、およびこれらの混合物、これらと生分解性樹脂との混合物である。これら例示した物質は、人体への健康のリスクが低い物質である。
【０１１０】
毒素含有マトリクス層１３０の構成は、防除シートにおける毒素含有マトリクス層３０の構成と同一である。毒素含有マトリクス層１３０のマトリクスの材料は、防除シートにおける第三素材と同一である。純粋マトリクス層１２０の構成は、防除シートにおける純粋マトリクス層２０の構成と同一である。純粋マトリクス層１２０の材料は、防除シートにおける第二素材と同一である。
【０１１１】
図９は防除物を製作するための転写シートの断面説明図である。
【０１１２】
転写シート７０は、転写シート基材７１の一方の面に、毒素含有マトリクス層１３０、純粋マトリクス層１２０と接着層６０をこの順序に積層してものである。各層の材料などは防除物６で説明したとおりである。
【０１１３】
転写シート基材７１は、例えば、ポリビニルアルコール（ＰＶＡ）のシートである。転写シート７０を水に浮かべ、上方から物体１１７を押し付けて層状物を転写して、防除物６を製作することができる。なお、ＰＶＡは水溶解して消失する。
【０１１４】
転写シート７０は、曲面を有する物体１１７に防除のための積層物を形成することができる。
【０１１５】
図９を参照しつつ説明した転写シート７０はいわゆる水圧転写シートであるが、防除物を製作するための転写シートは、大気中で転写される通常の転写シートであってもよい。通常の転写シートの場合には、転写シート基材として離形処理したフィルムを用いることができる。
【０１１６】
転写シート基材は、ポリプロピレン系樹脂、ポリエチレン系樹脂、ポリアミド系樹脂、ポリエステル系樹脂、アクリル系樹脂、ポリ塩化ビニル系樹脂、ポリカーボネート系樹脂、ポリウレタン系樹脂、ポリスチレン系樹脂、アセテート系樹脂、ポリアミド系樹脂などの樹脂シート、グラシン紙、コート紙、セロハンなどのセルロース系、およびこれらが複合された物質を材料とするシートが使用できる。
【０１１７】
転写シート７０を使用して防除シートを製作してもよい。
【０１１８】
以上説明した防除シートと防除物にあって、毒素含有マトリクス層及び／または純粋マトリクス層に、酵母など害虫の好む餌を含有してもよい。このようにすれば、害虫を防除シートと防除物近傍に誘引できるので、害虫防除効果が高まる。
【符号の説明】
【０１１９】
１ａ  第一防除シート
１ｂ  第二防除シート
１ｃ  第三防除シート
１ｄ  第四防除シート
１ｅ  第五防除シート
１ｆ  第六防除シート
１ｇ  第七防除シート
１ｈ  第八防除シート
１ｉ  第九防除シート
６  防除物
１０  第一シート基材
１０ａ  気泡含第一シート基材
１０ｂ  上面第一シート基材
１０ｃ  下面第一シート基材
１１  気泡含第二シート基材
１２  疎水部分
１３  疎水部分
１５  空気室
１６  気泡
２０  純粋マトリクス層
３０  毒素含有マトリクス層
３０ａ  気泡含毒素含有マトリクス層
５１  Cry多角体
５６  気泡
６０  接着層
７０  転写シート
７１  転写シート基材
１１７  物体
１２０  純粋マトリクス層
１３０  毒素含有マトリクス層
【要約】
Bacillus thuringiensis が産生する殺虫タンパク質（Cry毒素という）を固定化したポリヘドリンタンパク質多角体（Cry多角体という）を使用する害虫の防除シートである。害虫の防除シートはCry多角体を含有し、水に浮かべて使用する。シート形状の第一シート基材１０の下面に、純粋マトリクス層２０とCry多角体５１を含む毒素含有マトリクス層３０を積層し、水面に浮かぶシートである。純粋マトリクス層２０は易分解性又は水溶性の第二素材からなり、毒素含有マトリクス層３０は易分解性又は水溶性の第三素材とCry多角体からなる。防除シートを浮かべた水中に、毒素含有マトリクス層からCry多角体が徐放される。【図１】
0005839644.tif 000002
【図２】
0005839644.tif 000003
【図３】
0005839644.tif 000004
【図４】
0005839644.tif 000005
【図５】
0005839644.tif 000006
【図６】
0005839644.tif 000007
【図７】
0005839644.tif 000008
【図８】
0005839644.tif 000009
【図９】
0005839644.tif 000010
【図１０】
0005839644.tif 000011
【図１１】
0005839644.tif 000012